(57)【要約】【課題】  保管状態及び運搬状態での印刷版ヘの不具合発生を防止でき、印刷版の取り扱い時の作業効率を向上可能な印刷版の保管運搬具を提供する。【解決手段】  この印刷版の保管運搬具１０は、印刷機の版胴に装着される一枚または複数枚のシート状印刷版Ｓを矩形状の一辺が接合された一対の板状部材１１，１２で挟んで保持する。【選択図】  図３
2007008516.tif 000002
【特許請求の範囲】
【請求項１】
印刷機の版胴に装着される一枚または複数枚のシート状印刷版を矩形状の一辺が接合された一対の板状部材で挟んで保持するように構成されたことを特徴とする印刷版の保管運搬具。
【請求項２】
前記一枚または複数枚のシート状印刷版を押し付けるような弾性部材を前記板状部材の内面に設けた請求項１に記載の印刷版の保管運搬具。
【請求項３】
印刷機の版胴に装着される一枚または複数枚のシート状印刷版を矩形状の一辺が接合された一対の板状部材で挟んで保持するとともに、前記シート状印刷版の折り曲げ部の長さよりも厚いスペーサを前記一対の板状部材の間に設けたことを特徴とする印刷版の保管運搬具。
【請求項４】
前記スペーサを前記シート状印刷版から離れてかつ前記折り曲げ部の近傍に沿って設けた請求項３に記載の印刷版の保管運搬具。
【請求項５】
前記一枚または複数枚のシート状印刷版を押し付けるような弾性部材を前記板状部材の内面に設けた請求項３または４に記載の印刷版の保管運搬具。
【請求項６】
前記一対の板状部材が前記一辺側を中心にして回動し開くときの開口量を規制する開口規制部材を設けた請求項１乃至５のいずれか１項に記載の印刷版の保管運搬具。
【請求項７】
前記開口規制部材はべルト状であり、取り外し可能に構成されている請求項６に記載の印刷版の保管運搬具。
【請求項８】
印刷機の版胴に装着される複数枚のシート状印刷版を矩形状の一辺が接合された一対の板状部材で挟んで保持するとともに、前記各シート状印刷版が仕切部材でそれぞれ仕切られており、前記シート状印刷版の折り曲げ部の長さよりも厚いスペーサを前記一対の板状部材の間に設けたことを特徴とする印刷版の保管運搬具。
【請求項９】
前記仕切部材は前記一対の板状部材の間で収まるように前記一対の板状部材よりも小さい請求項８に記載の印刷版の保管運搬具。
【請求項１０】
前記スペーサを前記シート状印刷版から離れてかつ前記折り曲げ部の近傍に沿って設けた請求項８または９に記載の印刷版の保管運搬具。
【請求項１１】
前記各シート状印刷版を押し付けるような弾性部材を前記板状部材の内面に設けた請求項８，９または１０に記載の印刷版の保管運搬具。
【請求項１２】
前記一対の板状部材及び前記仕切部材により１枚ずつ仕切られた前記各シート状印刷版は、その各折り曲げ部が重なり合わないように順々にずれて保持されるように構成された請求項８乃至１１のいずれか１項に記載の印刷版の保管運搬具。
【請求項１３】
前記一対の板状部材及び前記仕切部材が前記一辺側を中心にして回動しそれぞれ開くときの各開口量を規制する開口規制部材をそれぞれ設けた請求項８乃至１２のいずれか１項に記載の印刷版の保管運搬具。
【請求項１４】
前記一対の板状部材及び前記仕切部材により仕切られて形成された各エリアに前記各シート状印刷版を識別するための識別手段をそれぞれ設けた請求項８乃至１３のいずれか１項に記載の印刷版の保管運搬具。
【請求項１５】
前記板状部材及び／又は前記仕切部材は、平行リブ中空一体構造を有するプラスチック段ボールから構成された請求項１乃至１４のいずれか１項に記載の印刷版の保管運搬具。
【請求項１６】
前記板状部材及び／又は前記仕切部材の材質がポリプロピレン樹脂である請求項１乃至１５のいずれか１項に記載の印刷版の保管運搬具。
【請求項１７】
前記板状部材の材質が導電性樹脂である請求項１乃至１６のいずれか１項に記載の印刷版の保管運搬具。
【請求項１８】
前記板状部材及び／又は前記仕切部材の表面に帯電防止加工が施されている請求項１乃至１６のいずれか１項に記載の印刷版の保管運搬具。
【請求項１９】
前記板状部材及び前記仕切部材は透明性を有する請求項１乃至１８のいずれか１項に記載の印刷版の保管運搬具。
【請求項２０】
前記板状部材が接合された一辺の逆側となる一辺側にユーザが持つことのできる把持部材を設けた請求項１乃至１９のいずれか１項に記載の印刷版の保管運搬具。
【請求項２１】
前記把持部材はべルト状である請求項２０に記載の印刷版の保管運搬具。
【請求項２２】
前記一対の板状部材のいずれか一方の外面に書類収納ケースを設けた請求項１乃至２１のいずれか１項に記載の印刷版の保管運搬具。
【発明の詳細な説明】
【技術分野】
【０００１】
本発明は、印刷機の版胴に装着されるシート状印刷版の保管運搬具に関する。
【背景技術】
【０００２】
従来、アルミニウムを支持体とした印刷版を運搬し保管する際に、アルミニウム自体の剛性を利用して、専用の台車に立て掛けて保管・運搬がなされている。アルミニウム版は、多数枚で保管され運搬されている（下記特許文献１乃至３参照）。
【０００３】
一方、紙またはプラスチック支持体のシート状印刷版においては、剛性が低く、アルミニウム版と同様の保管形態では座屈してしまうため、筒状に丸めたり、平置きしたり、または収納箱に入れて保管・運搬されている。
【０００４】
しかし、紙またはプラスチック支持体のシート状印刷版を不用意にアルミニウム版と同じ取扱いをすると、印刷版が座屈してしまい、床面等に落下して印刷版に傷、折れ、汚れが生じ、そのまま印刷機に装着して印刷を行うと、最終印刷物の画質不良に繋がるおそれがあった。また、印刷版を平置きするためには余分な作業スペースが必要となり、スペース制限がある場合には実現が難しい。更に、印刷版を筒状に丸める際に印刷版の表面に傷を付けてしまうおそれがあり、また、収納箱に入れる場合でも平置き状態での作業が必須となり、作業性が悪く、作業効率が低下してしまう。
【特許文献１】特開平２−２９３７４３号公報
【特許文献２】特開平２−２９３７４４号公報
【特許文献３】特開平６−２０６６１２号公報
【発明の開示】
【発明が解決しようとする課題】
【０００５】
本発明は、上述のような従来技術の問題に鑑み、保管状態及び運搬状態での印刷版ヘの不具合発生を防止でき、印刷版の取り扱い時の作業効率を向上可能な印刷版の保管運搬具を提供することを目的とする。
【課題を解決するための手段】
【０００６】
上記目的を達成するために、本発明による第１の印刷版の保管運搬具は、印刷機の版胴に装着される一枚または複数枚のシート状印刷版を矩形状の一辺が接合された一対の板状部材で挟んで保持するように構成されたことを特徴とする。
【０００７】
第１の印刷版の保管運搬具によれば、シート状印刷版を一対の板状部材で挟むことで剛性を確保できるので、アルミニウム版と同様の運用が可能となり、保管・運搬状態での印刷版への傷等の不具合発生を防止できるとともに、印刷版を取り扱う印刷機の版胴等まで安全かつ容易に運搬でき、印刷版を取り扱う各種作業の効率を向上できる。
【０００８】
上記第１の印刷版の保管運搬具において、前記一枚または複数枚のシート状印刷版を押し付けるような弾性部材を前記板状部材の内面に設けることで、シート状印刷版の確実な保持が可能となり、運搬中に振動・衝撃が生じてもシート状印刷版がずれることがなく、擦れによる印刷版の版面への傷発生を防止できる。
【０００９】
本発明による第２の印刷版の保管運搬具は、印刷機の版胴に装着される一枚または複数枚のシート状印刷版を矩形状の一辺が接合された一対の板状部材で挟んで保持するとともに、前記シート状印刷版の折り曲げ部の長さよりも厚いスペーサを前記一対の板状部材の間に設けたことを特徴とする。
【００１０】
第２の印刷版の保管運搬具によれば、シート状印刷版を一対の板状部材で挟むことで剛性を確保できるので、アルミニウム版と同様の運用が可能となり、保管・運搬状態での印刷版への傷等の不具合発生を防止できるとともに、シート状印刷版の折り曲げ部の長さよりも厚いスペーサで折り曲げ部を確実に保護することが可能となる。また、印刷版を取り扱う印刷機の版胴等まで安全かつ容易に運搬でき、印刷版を取り扱う各種作業の効率を向上できる。
【００１１】
上記第２の印刷版の保管運搬具において、前記スペーサを前記シート状印刷版から離れてかつ前記折り曲げ部の近傍に沿って設けることで、折り曲げ部を一層確実に保護できる。
【００１２】
また、前記一枚または複数枚のシート状印刷版を押し付けるような弾性部材を前記板状部材の内面に設けることで、シート状印刷版の確実な保持が可能となり、運搬中に振動・衝撃が生じてもシート状印刷版がずれることがなく、擦れによる印刷版の版面への傷発生を防止できる。
【００１３】
上記第１及び第２の印刷版の保管運搬具において、前記一対の板状部材が前記一辺側を中心にして回動し開くときの開口量を規制する開口規制部材を設けることが好ましい。一対の板状部材の開口量を規制することで、一定量に開いた状態の一対の板状部材の開口上面からシート状印刷版を座屈せずに出し入れできる。開口量が広すぎると、一対の板状部材間でシート状印刷版が座屈し易くなるので、かかる開口量の規制は座屈を防止し、有効である。この場合、前記開口規制部材はべルト状であり、取り外し可能に構成されることが好ましい。開口規制部材をべルト状にして取り外し可能とすることで、ベルトを取り外せば、平置き状態での印刷版出し入れが可能となる。
【００１４】
本発明による第３の印刷版の保管運搬具は、印刷機の版胴に装着される複数枚のシート状印刷版を矩形状の一辺が接合された一対の板状部材で挟んで保持するとともに、前記各シート状印刷版が仕切部材でそれぞれ仕切られており、前記シート状印刷版の折り曲げ部の長さよりも厚いスペーサを前記一対の板状部材の間に設けたことを特徴とする。
【００１５】
第３の印刷版の保管運搬具によれば、シート状印刷版を一対の板状部材で挟むことで剛性を確保できるので、アルミニウム版と同様の運用が可能となり、保管・運搬状態での印刷版への傷等の不具合発生を防止できるとともに、シート状印刷版の折り曲げ部の長さよりも厚いスペーサで折り曲げ部を確実に保護することが可能となる。また、仕切部材で各シート状印刷版を仕切って別々に保持するので、各シート状印刷版同士の擦れによる版面への傷等の発生を防止できるとともに、各シート状印刷版を独立して出し入れができるので、複数枚のシート状印刷版の選別のときに折り曲げ部に触ってしまうことによる変形を防止できる。更に、印刷版を取り扱う印刷機の版胴等まで安全かつ容易に運搬でき、印刷版を取り扱う各種作業の効率を向上できる。
【００１６】
上記第３の印刷版の保管運搬具において、前記仕切部材は前記一対の板状部材の間で収まるように前記一対の板状部材よりも小さいことで、一対の板状部材内に仕切部材が収まり、各シート状印刷版を確実に保持できる。
【００１７】
また、前記スペーサを前記シート状印刷版から離れてかつ前記折り曲げ部の近傍に沿って設けることで、折り曲げ部を一層確実に保護できる。
【００１８】
また、前記各シート状印刷版を押し付けるような弾性部材を前記板状部材の内面に設けることで、各シート状印刷版の確実な保持が可能となり、運搬中に振動・衝撃が生じても各シート状印刷版がずれることがなく、擦れによる印刷版の版面への傷発生を防止できる。
【００１９】
また、前記一対の板状部材及び前記仕切部材により１枚ずつ仕切られた前記各シート状印刷版は、その各折り曲げ部が重なり合わないように順々にずれて保持されるように構成されることで、折り曲げ部が重なり合わないので、各折り曲げ部の保護を確実にできるとともに、各シート状印刷版の出し入れのときにも各折り曲げ部を確実に保護できる。
【００２０】
また、前記一対の板状部材及び前記仕切部材が前記一辺側を中心にして回動しそれぞれ開くときの各開口量を規制する開口規制部材をそれぞれ設けることが好ましい。一対の板状部材及び仕切部材の各開口量を規制することで、一定量に開いた状態の各開口上面からシート状印刷版を座屈せずに出し入れできる。開口量が広すぎると、各シート状印刷版が座屈し易くなるので、かかる開口量の規制は座屈を防止し、有効である。
【００２１】
また、前記一対の板状部材及び前記仕切部材により仕切られて形成された各エリアに前記各シート状印刷版を識別するための識別手段をそれぞれ設けることが好ましい。複数枚のシート状印刷版を色ごとに収納することで、印刷機への印刷版装着時等において色の間違いを防止できる。
【００２２】
上記第１，第２及び第３の印刷版の保管運搬具において、前記板状部材及び／又は前記仕切部材は、剛性がありかつ軽量な平行リブ中空一体構造を有するプラスチック段ボールから構成されることが好ましい。これにより、保管運搬具において剛性確保と軽量化の両方を達成できる。
【００２３】
また、前記板状部材及び／又は前記仕切部材の材質がポリプロピレン樹脂であることが好ましい。
【００２４】
また、前記板状部材及び／又は前記仕切部材の材質が導電性樹脂であることが好ましい。また、前記板状部材及び／又は前記仕切部材の表面に帯電防止加工が施されていることが好ましい。板状部材・仕切部材に導電性を持たすことで、または、帯電防止加工を施すことで、静電気によるホコリ等の吸着が防止できるため、シート状印刷版の表面と板状部材・仕切部材とが擦れても傷の発生を防止できるとともに、シート状板状部材への印刷版の貼り付きを防止できる。
【００２５】
また、前記板状部材及び前記仕切部材は透明性を有することで、内部の版面の絵柄等を外から識別できる。
【００２６】
また、前記板状部材が接合された一辺の逆側となる一辺側にユーザが持つことのできる把持部材を設けることで運搬が容易となり、ベルト状にすることで本保管運搬具を複数重ねて保管する場合に邪魔にならない。
【００２７】
また、前記一対の板状部材のいずれか一方の外面に書類収納ケースを設けることで、作業指示書（内容物の識別可能）や印刷機に使用するデータが収納されたフロッピーディスク等の記憶媒体をまとまった状態で取り扱える。なお、書類収納ケースは、透明性を有することが好ましく、これにより、内容物を取り出すことなく外部からの識別が可能となる。
【００２８】
なお、上記シート状印刷版は、ヤング率が４５００〜６５００Ｎ／ｍｍ2であり厚み１００〜２５０μｍのプラスチック支持体上に、少なくとも親水性層及び感熱性画像形成層を有する印刷版材料から構成されることが好ましいが、この場合、シート状印刷版は座屈し易いが、上述の各保管運搬具で運搬し保管することで、座屈のおそれがなく、従来のアルミニウム版と同様の運用が可能となる。
【００２９】
また、上記プラスチック支持体の材質は、ポリエチレンテレフタレートであることが好ましく、また、プラスチック支持体の厚みは、１７０〜１８０μｍであることが好ましい。また、プラスチック支持体のヤング率は、５０００〜６０００Ｎ／ｍｍ2であることが好ましい。
【発明の効果】
【００３０】
本発明の印刷版の保管運搬具によれば、保管状態及び運搬状態での印刷版ヘの不具合発生を確実に防止できるとともに、印刷版の取り扱い時の作業効率を向上できる。
【発明を実施するための最良の形態】
【００３１】
以下、本発明を実施するための最良の形態について図面を用いて説明する。
【００３２】
〈第１の実施の形態〉
【００３３】
図１は第１の実施の形態によるシート状印刷版の保管運搬具を示す正面図である。図２は図１の保管運搬具の側面図である。図３は図１の保管運搬具を開いた状態を示す斜視図である。図４は図１の保管運搬具に保管されるシート状印刷版を概略的に示す斜視図（ａ）及びシート状印刷版の層構成を模式的に示す断面図（ｂ）である。
【００３４】
図１〜図３に示すように、保管運搬具１０は、印刷機の版胴に装着されるプラスチック支持体のシート状印刷版Ｓ’を一対の板状部材１１，１２の間に挟んで保持するように構成されている。
【００３５】
保管運搬具１０は、一対の板状部材１１，１２と、板状部材１２の内面に設けられた弾性部材１３と、板状部材１１，１２の上端中央付近に設けられたベルト状の取っ手１４と、板状部材１１の外面に袋状に設けられカバー１５ａの付いた書類収納ケース１５と、板状部材１１，１２を開いたときの開口量を規制するべルト状の開口規制部材１６と、を備える。
【００３６】
保管運搬具１０に保管されるシート状印刷版Ｓ’は、図１，図２，図４（ａ）のように、矩形状の比較的大きなサイズ（例えば、幅６７０ｍｍ×高さ５６０ｍｍ）を有し、下端側に形成されて印刷機の版胴に対し位置決めするための切り欠き部Ｓ２を備える。
【００３７】
シート状印刷版Ｓ’について更に説明する。図４（ｂ）のように、シート状印刷版Ｓ’は、プラスチック支持体５０上に少なくとも親水性層５１及び感熱性画像形成層５２を有する。印刷版Ｓ’のプラスチック支持体５０として、ポリエチレンテレフタレート、ポリエチレンナフタレート等のポリエステル、ポリイミド、ポリアミド、ポリカーボネート、ポリスルホン、ポリフェニレンオキサイド、セルロースエステル類を挙げることができる。特に、ポリエチレンテレフタレート、ポリエチレンナフタレート等のポリエステルフィルムが好ましい。
【００３８】
プラスチック支持体５０は、特に、ポリエチレンテレフタレートが搬送性、取り扱い易さ等から好ましく、印刷版作製装置内では、プラスチック支持体の厚みが薄過ぎたり厚過ぎると、ロールにし難いし、搬送性に問題があり、また薄過ぎると次の工程の印刷機に持ち運ぶ時に強度がなく撓む等の問題があり、搬送性、取り扱い易さ等からプラスチック支持体５０の厚さは１００〜２５０μｍが好ましく、特に好ましくは１７０〜１８０μｍである。また、プラスチック支持体５０は、ヤング率が４５００乃至６５００Ｎ／ｍｍ2の範囲内であることが好ましく、５０００乃至６０００Ｎ／ｍｍ2の範囲内であることが更に好ましい。
【００３９】
印刷版Ｓ’の親水性層５１とは、印刷時に印刷インキを着肉しない機能を有する層であり、この親水性層５１を形成する素材としては、有機親水性ポリマーを架橋あるいは疑似架橋することにより得られる有機親水性マトリクス構造体や、ポリアルコキシシラン、チタネート、ジルコネート又はアルミネートの加水分解、縮合反応からなるゾル−ゲル変換により得られる無機親水性マトリクス構造体、金属酸化物等が好ましく用いられる。親水性層５１は、特に金属酸化物微粒子を含むことが好ましく、例えば、コロイダルシリカ、アルミナソル、チタニアゾル、その他の金属酸化物のゾルが挙げられる。
【００４０】
また、印刷版Ｓ’の感熱性画像形成層５２は、加熱により画像を形成しうる層であり、熱溶融性微粒子及び／又は熱融着性微粒子を含有する。熱溶融性微粒子としては、熱可塑性素材の中でも特に溶融した際の粘度が低く、一般的にワックスとして分類される素材で形成された微粒子である。また、熱融着性微粒子としては、熱可塑性疎水性高分子重合体微粒子が挙げられ、該熱可塑性疎水性高分子重合体粒子の軟化温度に特定の上限はないが、温度は高分子重合体微粒子の分解温度より低いことが好ましい。
【００４１】
上記印刷版Ｓ’は、例えば印刷版の作製装置のドラムに巻き付けられ、そのドラムを回転させて光源により画像データを走査露光して表面Ｓ０に画像記録が行われた後に、印刷機の版胴に装着される。
【００４２】
図２，図３のように、板状部材１１，１２は、上面側が開放し、下端側の一辺が接合されており、下端側の一辺を中心にして開放自在となっている。
【００４３】
板状部材１１，１２は、平行リブ中空一体構造のプラスチック段ボールから矩形状に構成され、シート状印刷版Ｓ’を挟んで全体を収容できるようにシート状印刷版Ｓ’よりも大きい矩形状サイズになっている。板状部材１１，１２にプラスチック段ボールを使用することで、保管運搬具１０において剛性確保と軽量化を両立でき、好ましい。
【００４４】
なお、平行リブ中空一体構造のプラスチック段ボールは、ポリプロピレン等の樹脂材料から構成され、長さ方向に沿ってリブが一定間隔で直線状に形成されており、所定の厚み（１．５ｍｍ〜７ｍｍ程度）を有している。このようなプラスチック段ボールとして、例えば、住化プラステック株式会社が販売している「サンプライ」（商品名）がある。
【００４５】
また、導電性ポリプロピレン等の導電性樹脂材料を用いることで、または、樹脂表面に帯電防止加工を施すことが好ましく、静電気によるホコリ等の吸着が防止できるため、印刷版の表面と板状部材が擦れても傷の発生を防止できるとともに、板状部材への印刷版の貼り付きを防止できる。また、透光性の樹脂材料を用いることで、板状部材１１，１２に透明性を付与し、内部のシート状印刷版Ｓ’の版面の絵柄を外から識別できる。
【００４６】
図１〜図３の弾性部材１３は、例えば、矩形状断面のポリウレタンやスポンジ等の弾性棒状部材からなり、板状部材１２の内面に横方向に延びるようにして分割して接着されている。なお、弾性部材１３は分割せずに一体に設けてもよい。図２のように板状部材１１，１２を閉じてシート状印刷版Ｓ’を間に挟んだとき弾性部材１３はシート状印刷版Ｓ’にその上端近傍で当たる。これにより、シート状印刷版Ｓ’は、弾性部材１３に押し付けられながら、弾性部材１３と板状部材１１の内面との間で確実に保持されるので、保管運搬具１０で運搬中に振動・衝撃が生じてもシート状印刷版Ｓ’が動いてずれることはなく、擦れによる版面への傷発生を防止できる。
【００４７】
なお、弾性部材１３は板状部材１２の内面に設けたが、板状部材１１の内面側に設けてもよく、板状部材１１，１２の両方に設けてもよい。
【００４８】
図３のように、開口規制部材１６は、板状部材１１，１２の両側面にボタン型ホック１６ａで取り外し可能に設けられており、板状部材１１，１２を開いたときの開口量を規制する。開口規制部材１６で開口量を規制することで、一定量に開いた状態で板状部材１１，１２の上面の開口でのシート状印刷版Ｓ’の出し入れが可能となる。板状部材１１，１２の開口量が広すぎると、シート状印刷版Ｓ’が出し入れのとき座屈し易くなるので、板状部材１１，１２の開口量の規制は有効である。
【００４９】
また、開口規制部材１６をべルト状にして取り外し可能とすることで、ベルトを取り外せば平置き状態でのシート状印刷版Ｓ’の出し入れも可能となる。
【００５０】
以上のように、第１の実施の形態の保管運搬具１０によれば、シート状印刷版Ｓ’はプラスチック支持体５０による支持のために剛性がアルミニウム版と比べて小さく座屈し易いが、シート状印刷版Ｓ’を一対の板状部材１１，１２で挟むことにより剛性を確保でき、アルミニウム版と同様の運用が可能となり、保管・運搬状態でのシート状印刷版Ｓ’への傷等の不具合発生を防止できる。また、シート状印刷版Ｓ’を挟んで保管状態とするとき、弾性部材１３で押圧することで確実に保持でき、運搬中にずれが発生せずに擦れによる版面への傷発生を防止できる。
【００５１】
上述のように、保管運搬具１０により、シート状印刷版Ｓ’を取り扱う印刷機の版胴まで安全かつ容易に運搬でき、シート状印刷版Ｓ’を取り扱う交換等の各種作業の効率を向上できる。なお、図１〜図３では、１枚のシート状印刷版Ｓ’を保管したが、複数枚のシート状印刷版Ｓ’を保管することもできる。
【００５２】
また、保管運搬具１０に取っ手１４を設けることで運搬が容易となり、取っ手１４をベルト状にすることで保管運搬具１０を複数重ねて保管する場合に邪魔にならない。また、書類収納ケース１５を設けることで、作業指示書（内容物の識別可能）や印刷機に使用するデータが収納されたフロッピーディスク等の記憶媒体をまとまった状態で取り扱うことができる。また、書類収納ケース１５は、透明性のある樹脂材料等から構成することが好ましく、透明性を有することで内容物を取り出すことなく外部から識別することができる。
【００５３】
〈第２の実施の形態〉
【００５４】
図５は第２の実施の形態によるシート状印刷版の保管運搬具を示す正面図である。図６は図５の保管運搬具の側面図である。図７は図５の保管運搬具を開いた状態を示す斜視図である。図１２は図５の保管運搬具に保管されるシート状印刷版を概略的に示す斜視図である。
【００５５】
図５〜図７に示す保管運搬具２０は、図１〜図３と基本的構成が同様であり、印刷機の版胴に装着されるプラスチック支持体のシート状印刷版Ｓ（図１２）を一対の板状部材１１，１２の間に挟んで保持するものであり、同じ構成の部分には同じ符号を付け、その説明を省略する。
【００５６】
図５〜図７に示す保管運搬具２０に保管されるシート状印刷版Ｓは、図１２のように、上端側に形成されて印刷機の版胴にクランプし装着するための折り曲げ部Ｓ１を備える以外は、図４（ａ）、（ｂ）と同様の構成であり、矩形状の比較的大きなサイズ（例えば、幅６７０ｍｍ×高さ５６０ｍｍ）を有し、下端側に形成されて印刷機の版胴に対し位置決めするための切り欠き部Ｓ２を備える。
【００５７】
図５〜図７のように、保管運搬具２０は、閉じたときの板状部材１１，１２の間のスペースを確保するためのスペーサ２１を備える。スペーサ２１は、矩形状断面の発砲樹脂等の軽量化部材からなり、板状部材１２の内面の上端近傍に横方向に沿って接着されており、図のように、収められたシート状印刷版Ｓの上端から離れかつ上端の折り曲げ部Ｓ１の近傍に沿うように設けられている。
【００５８】
スペーサ２１は、折り曲げ部Ｓ１の近傍に配置され、シート状印刷版Ｓの折り曲げ部Ｓ１の長さよりも厚く構成されているので、板状部材１１，１２を閉じたとき、折り曲げ部Ｓ１が板状部材１１，１２に当たらない程度のスペースを確保できるので、折り曲げ部Ｓを確実に保護することができる。
【００５９】
また、例えば、図１〜図３と同様に矩形状断面のポリウレタンやスポンジ等の弾性棒状部材からなる弾性部材１３がスペーサ２１の下方に配置され、板状部材１１，１２を閉じたときシート状印刷版Ｓを押し付けるようになっている。
【００６０】
以上のように、第２の実施の形態の保管運搬具２０によれば、剛性がアルミニウム版と比べて小さく座屈し易いシート状印刷版Ｓを一対の板状部材１１，１２で挟むことにより剛性を確保でき、アルミニウム版と同様の運用が可能となり、保管・運搬状態でのシート状印刷版Ｓへの傷等の不具合発生を防止できるとともに、折り曲げ部Ｓを確実に保護することができ、折り曲げ部Ｓ１が変形することで印刷機の版胴への取り付けに不具合が生じることはない。また、保管運搬具２０により、シート状印刷版Ｓを取り扱う印刷機の版胴まで安全かつ容易に運搬でき、シート状印刷版Ｓを取り扱う交換等の各種作業の効率を向上できる。なお、図５〜図７では、１枚のシート状印刷版Ｓを保管したが、複数枚のシート状印刷版Ｓを保管することもできる。
【００６１】
また、板状部材１１，１２を閉じたとき、スペーサ２１でスペースを確保することでシート状印刷版Ｓの折り曲げ部Ｓ１が板状部材１１，１２に当たらずに、折り曲げ部Ｓ１を確実に保護できるとともに、弾性部材１３がスペーサ２１の下方でシート状印刷版Ｓを押し付けるので、シート状印刷版Ｓの確実な保持が可能である。
【００６２】
また、板状部材１１，１２は平行リブ中空一体構造のプラスチック段ボールから同様に構成できるとともに、弾性部材１３・取っ手１４・書類収納ケース１５・開口規制部材１６により、図１〜図３と同様の効果を得ることができる。
【００６３】
〈第３の実施の形態〉
【００６４】
図８は第３の実施の形態によるシート状印刷版の保管運搬具を示す側面図である。図９は図１の４枚のシート状印刷版を挟み込んで保持した状態の図８の保管運搬具の下端部の拡大側断面図（ａ）及び上端部の拡大側断面図（ｂ）である。図１０は図８の保管運搬具を開いた状態を示す斜視図である。
【００６５】
図８〜図１０に示す保管運搬具３０は、図５〜図７の保管運搬具２０と比べ、印刷機の版胴に装着されるプラスチック支持体のシート状印刷版Ｓ（図１２）を一対の板状部材１１，１２の間に挟んで保持する点が同じであるが、複数枚のシート状印刷版Ｓを仕切部材でそれぞれ仕切って保持する点が異なり、同じ構成の部分には同じ符号を付け、その説明を省略する。
【００６６】
図８〜図１０のように、保管運搬具３０は、一対の板状部材１１，１２の間に複数の仕切部材３１，３２，３３を配置し、複数枚のシート状印刷版Ｓを１枚ずつ仕切るように構成されている。仕切部材３１〜３３は、板状部材１１，１２の間で収まるように板状部材１１，１２よりも小さい矩形状に構成され、板状部材１１，１２と同様の平行リブ中空一体構造のプラスチック段ボールから構成できる。
【００６７】
図８〜図１０の保管運搬具３０は、板状部材１１と仕切部材３１との間、仕切部材３１と仕切部材３２との間、仕切部材３２と仕切部材３３との間、及び仕切部材３３と板状部材１２との間の各仕切エリアに、それぞれシート状印刷版Ｓを挟んで保持するが、各仕切エリアの下端側に段差が順々に高くなるようにポリプロピレン等の板状の樹脂材料からなる段差部材３４，３５，３６，３７が配置されている。
【００６８】
段差部材３４〜３７が図９（ａ）のように段差が順々に高くなることで、縦方向（高さ方向）の各仕切エリア全体の高さが変わり、各仕切エリアにそれぞれシート状印刷版Ｓを保持したとき、図９（ｂ）のように各シート状印刷版Ｓの上端の折れ曲がり部Ｓ１の位置が順々に高くなるようになっている。これにより、複数枚のシート状印刷版Ｓの折れ曲がり部Ｓ１の各位置が図９（ｂ）のように順々にずれて、重なり合わないようになっている。
【００６９】
また、保管運搬具３０を図８の閉じた状態から図１０のように開くとき、各板状部材１１，１２及び各仕切部材３１〜３３の各開口量を規制するベルト状の開口規制部材４１，４２，４３，４４をそれぞれ設けることで、板状部材１１と仕切部材３１との間、仕切部材３１と仕切部材３２との間、仕切部材３２と仕切部材３３との間、及び仕切部材３３と板状部材１２との間が開きすぎることがないようになっている。これにより、一定量に開いた状態の各開口上面から各シート状印刷版Ｓを座屈せずに出し入れできる。開口量が広すぎると、各シート状印刷版Ｓが座屈し易くなるので、かかる開口量の規制は座屈を防止し、有効である。また、保管運搬具３０を開き、板状部材１１，１２が開かれると、これに連動してベルト状の開口規制部材４１〜４４により各仕切部材３１〜３３が開くので、各仕切部材３１〜３３をそれぞれ開く必要がなく、便利である。
【００７０】
また、板状部材１１と仕切部材３１との間、仕切部材３１と仕切部材３２との間、仕切部材３２と仕切部材３３との間、及び仕切部材３３と板状部材１２との間に弾性部材１３をそれぞれ設け、各仕切エリアにおいて各シート状印刷版Ｓを押し付けることで、各シート状印刷版Ｓを確実に保持し、運搬中に振動・衝撃が生じても各シート状印刷版Ｓがずれることがなく、擦れによる印刷版の版面への傷発生を防止できる。なお、弾性部材１３を板状部材１１、１２のいずれか一方にのみ、または、両方に設けてもよい。
【００７１】
また、各仕切部材３１，３２，３３の上端面３１ａ，３２ａ，３３ａや板状部材１１または１２の内側壁面を各色に着色したり、各色識別マークを付けるようにすることで、各シート状印刷版Ｓを色ごとに収納することができ、印刷機への印刷版装着時等において色の間違いを防止できる。
【００７２】
なお、各板状部材１１，１２、各仕切部材３１〜３３、各段差部材３４〜３７は、下端側の一辺で例えば両面テープ等により接着されて接合されているが、図１０のように開放可能とするために、図９（ａ）の破線で示すように、各仕切部材３４〜３７の下端面３１ｂ、３２ｂ、３３ｂに切り込みを入れている。この場合、平行リブ中空一体構造のプラスチック段ボールのリブが、保管運搬具３０の縦方向に一定間隔で並ぶようにプラスチック段ボールを使用する。
【００７３】
以上のように、第３の実施の形態の保管運搬具３０によれば、シート状印刷版Ｓを一対の板状部材１１，１２及び仕切部材３１〜３３で挟むことで剛性を確保できるので、アルミニウム版と同様の運用が可能となり、保管・運搬状態での印刷版への傷等の不具合発生を防止できる。また、板状部材１１，１２及び仕切部材３１〜３３で各シート状印刷版Ｓをそれぞれ仕切って独立して保持できるので、各シート状印刷版Ｓ同士の擦れによる版面への傷等の発生を防止できるとともに、各シート状印刷版Ｓを独立して出し入れができるので、複数枚のシート状印刷版Ｓの選別のときに折り曲げ部Ｓ１に触ってしまうことによる変形を防止できる。更に、保管運搬具３０により、シート状印刷版Ｓを取り扱う印刷機の版胴まで安全かつ容易に運搬でき、シート状印刷版Ｓを取り扱う交換等の各種作業の効率を向上できる。
【００７４】
また、板状部材１１，１２を閉じたときスペーサ２１により板状部材１１，１２間の距離を保持することで、シート状印刷版Ｓの各折り曲げ部Ｓ１を確実に保護できるとともに、板状部材１１，１２及び仕切部材３１〜３３により１枚ずつ仕切られた各シート状印刷版Ｓは、各折り曲げ部Ｓ１が順々にずれて保持され、重なり合わないので、各折り曲げ部Ｓ１の保護を一層確実にできるとともに、各シート状印刷版Ｓの出し入れのときにも各折り曲げ部Ｓ１を確実に保護できる。
【００７５】
また、板状部材１１，１２及び仕切部材３１〜３３は平行リブ中空一体構造のプラスチック段ボールから同様に構成できるとともに、取っ手１４・書類収納ケース１５により、図１〜図３と同様の効果を得ることができる。
【００７６】
以上のように本発明を実施するための最良の形態について説明したが、本発明はこれらに限定されるものではなく、本発明の技術的思想の範囲内で各種の変形が可能である。例えば、保管運搬具１０及び２０において板状部材１１，１２は、接着等で接合して構成したが、プラスチック段ボール等の１枚の板材料を折り曲げて構成してもよい。
【００７７】
また、図１０のように、板状部材１１または１２の上端側に配置されるスペーサ２１の表面及びその対向する側の表面にマジックテープ（商標）等の面ファスナー５１，５２を配置し、板状部材１１，１２を閉じたとき接着させることで、板状部材１１，１２が不測に開いてしまわないようにすることが好ましい。また、板状部材１１，１２を、ボタン型ホックで取り外し可能なベルトで閉じるようにしてもよい。
【００７８】
また、保管運搬具１０，２０及び３０において、弾性部材１３は、１枚のシート状印刷版Ｓの一面からのみ押し付けるように片側に配置したが、両面から押し付けるように両側に配置してもよい。
【００７９】
また、保管運搬具１０，２０及び３０により保管・運搬対象となるシート状印刷版Ｓは、座屈し易い紙支持体のシート状印刷版であってもよく、プラスチック支持体の場合と同様に座屈することなくよい保管・運搬状態で保管・運搬できる。また、保管運搬具１０，２０及び３０は、アルミニウム版を保管し運搬することもできる。
【００８０】
また、図８〜図１０の保管運搬具３０は、例えば、図１１のように、板状部材１１と仕切部材３１との間、仕切部材３１と仕切部材３２との間、仕切部材３２と仕切部材３３との間、及び仕切部材３３と板状部材１２との間の各仕切エリアに折り曲げた布状部材４５，４６，４７，４８をそれぞれ配置し、布状部材４５〜４８の折り曲げの高さ方向（縦方向）位置を順々に変えて段差を付けるように構成してもよい。なお、図１１では板状部材１１、１２、仕切部材３１〜３３は、互いに接合されている。
【図面の簡単な説明】
【００８１】
【図１】第１の実施の形態によるシート状印刷版の保管運搬具を示す正面図である。
【図２】図１の保管運搬具の側面図である。
【図３】図１の保管運搬具を開いた状態を示す斜視図である。
【図４】図１の保管運搬具に保管されるシート状印刷版を概略的に示す斜視図（ａ）及びシート状印刷版の層構成を模式的に示す断面図（ｂ）である。
【図５】第２の実施の形態によるシート状印刷版の保管運搬具を示す正面図である。
【図６】図５の保管運搬具の側面図である。
【図７】図５の保管運搬具を開いた状態を示す斜視図である。
【図８】第３の実施の形態によるシート状印刷版の保管運搬具を示す側面図である。
【図９】図１の４枚のシート状印刷版を挟み込んで保持した状態の図８の保管運搬具の下端部の拡大側断面図（ａ）及び上端部の拡大側断面図（ｂ）である。
【図１０】図８の保管運搬具を開いた状態を示す斜視図である。
【図１１】第３の実施の形態によるシート状印刷版の保管運搬具の変形例を概略的に示す側面図である。
【図１２】図５，図８の保管運搬具に保管されるシート状印刷版を概略的に示す斜視図である。
【符号の説明】
【００８２】
１０，２０，３０ 保管運搬具
１１，１２ 板状部材
１３ 弾性部材
１４ 取っ手（把持部材）
１５ 書類収納ケース
１６ 開口規制部材
２１ スペーサ
３１，３２，３３ 仕切部材
３４〜３７ 段差部材
４１〜４４ 開口規制部材
５０ プラスチック支持体
Ｓ、Ｓ’シート状印刷版
Ｓ１ 折り曲げ部
【図１】
2007008516.tif 000003
【図２】
2007008516.tif 000004
【図３】
2007008516.tif 000005
【図４】
2007008516.tif 000006
【図５】
2007008516.tif 000007
【図６】
2007008516.tif 000008
【図７】
2007008516.tif 000009
【図８】
2007008516.tif 000010
【図９】
2007008516.tif 000011
【図１０】
2007008516.tif 000012
【図１１】
2007008516.tif 000013
【図１２】
2007008516.tif 000014